(57)【特許請求の範囲】
【請求項１】
放送信号に含まれる番組データを記憶部に記録する記録手段と、
記録すべき番組データを指定する記録予約情報を受信する受信手段と、
記録予約情報の前記記憶部への登録を制御する登録制御情報が第１状態に設定されている場合、前記受信した記録予約情報を前記記憶部に登録する登録手段と、
前記記憶部に登録されている記録予約情報が指定する番組データを記録するように前記記録手段を制御する記録制御手段と、
不正な記録予約情報が前記受信手段により受信されたか否かを判定する第１判定手段と、
前記不正な記録予約情報が受信されたと判定された場合に、前記登録制御情報を第２状態に設定する設定手段と、
を備え、
前記記録手段は、記録した番組データの特性を示す番組特性情報を前記記憶部に登録し、
前記第１判定手段は、
前記受信した記録予約情報が指定する番組データの番組特性情報と予め定められた第１共通点を有する番組特性情報が前記記憶部に登録されているか否かを判定し、
前記受信した記録予約情報が指定する番組データの番組特性情報と前記予め定められた第１共通点を有する番組特性情報が前記記憶部に登録されていないと判定された回数を計数し、
当該回数が第３閾値以上の場合に、前記不正な記録予約情報が受信されたと判定する
ことを特徴とする記録装置。
【請求項２】
前記第１判定手段は、
前記受信した記録予約情報が当該受信前に前記記憶部に登録されていたか否かを判定し、
前記受信した記録予約情報が当該受信前に前記記憶部に登録されていたと判定された回数を計数し、
当該回数が第１閾値以上の場合に、前記不正な記録予約情報が受信されたと判定する
ことを特徴とする請求項１に記載の記録装置。
【請求項３】
前記第１判定手段は、予め定められた時間内に前記受信手段により受信された記録予約情報の数が第２閾値以上の場合に、前記不正な記録予約情報が受信されたと判定することを特徴とする請求項１又は２に記載の記録装置。
【請求項４】
前記第１判定手段は、予め定められた時間帯に前記受信手段が記録予約情報を受信した回数が第４閾値以上の場合に、前記不正な記録予約情報が受信されたと判定することを特徴とする請求項１乃至３のいずれか１項に記載の記録装置。
【請求項５】
前記第１判定手段は、前記受信した記録予約情報が指定する番組データに対応する番組の数が第５閾値以上の場合に、前記不正な記録予約情報が受信されたと判定することを特徴とする請求項１乃至４のいずれか１項に記載の記録装置。
【請求項６】
前記受信した記録予約情報は、画像サイズ及び画質を指定する情報を含み、
前記登録手段は、前記登録制御情報が前記第２状態に設定されている場合、前記受信した記録予約情報が指定する画像サイズ及び画質の少なくとも一方を低下させて当該受信した記録予約情報を前記記憶部に登録し、
前記記録制御手段は、前記記憶部に登録されている記録予約情報が指定する番組データを当該記録予約情報が指定する画像サイズ及び画質で記録するように前記記録手段を制御する
ことを特徴とする請求項１乃至５のいずれか１項に記載の記録装置。
【請求項７】
放送信号に含まれる番組データを記憶部に記録する記録手段と、
記録すべき番組データを指定する記録予約情報を受信する受信手段と、
記録予約情報の前記記憶部への登録を制御する登録制御情報が第１状態に設定されている場合、前記受信した記録予約情報を前記記憶部に登録する登録手段と、
前記記憶部に登録されている記録予約情報が指定する番組データを記録するように前記記録手段を制御する記録制御手段と、
不正な記録予約情報が前記受信手段により受信されたか否かを判定する第１判定手段と、
前記不正な記録予約情報が受信されたと判定された場合に、前記登録制御情報を第２状態に設定する設定手段と、
正常な記録予約情報が前記受信手段により受信されたか否かを判定する第２判定手段と、
を備え、
前記記録手段は、記録した番組データの特性を示す番組特性情報を前記記憶部に登録し、
前記第２判定手段は、
前記記憶部に登録されている番組特性情報を、予め定められた第２共通点を有する番組特性情報のグループに分類し、各グループに分類された番組特性情報の数に関して各グループの順位を決定し、
前記登録制御情報が前記第２状態に設定されているときに前記受信手段が受信した記録予約情報が指定する番組データの番組特性情報が属するグループの順位が予め定められた順位以上であるか否かを判定し、
前記登録制御情報が前記第２状態に設定されているときに前記受信手段が受信した記録予約情報が指定する番組データの番組特性情報が属するグループの順位が予め定められた順位以上であると連続して判定された回数を計数し、
当該回数が第７閾値以上の場合に、前記正常な記録予約情報が受信されたと判定し、
前記設定手段は、前記正常な記録予約情報が受信されたと判定された場合に、前記登録制御情報を前記第１状態に設定する
ことを特徴とする記録装置。
【請求項８】
前記第２判定手段は、
前記登録制御情報が前記第２状態に設定されているときに前記受信手段が受信した記録予約情報が当該受信前に前記記憶部に登録されていたか否かを判定し、
前記登録制御情報が前記第２状態に設定されているときに前記受信手段が受信した記録予約情報が当該受信前に前記記憶部に登録されていなかったと連続して判定された回数を計数し、
当該回数が第６閾値以上の場合に、前記正常な記録予約情報が受信されたと判定する
ことを特徴とする請求項７に記載の記録装置。
【請求項９】
記録装置における記録方法であって、
放送信号に含まれる番組データを記憶部に記録する記録工程と、
記録すべき番組データを指定する記録予約情報を受信する受信工程と、
記録予約情報の前記記憶部への登録を制御する登録制御情報が第１状態に設定されている場合、前記受信した記録予約情報を前記記憶部に登録する登録工程と、
前記記憶部に登録されている記録予約情報が指定する番組データを記録するように前記記録工程を制御する記録制御工程と、
不正な記録予約情報が前記受信工程において受信されたか否かを判定する第１判定工程と、
前記不正な記録予約情報が受信されたと判定された場合に、前記登録制御情報を第２状態に設定する設定工程と、
を備え、
前記記録工程では、記録した番組データの特性を示す番組特性情報を前記記憶部に登録し、
前記第１判定工程では、
前記受信した記録予約情報が指定する番組データの番組特性情報と予め定められた第１共通点を有する番組特性情報が前記記憶部に登録されているか否かを判定し、
前記受信した記録予約情報が指定する番組データの番組特性情報と前記予め定められた第１共通点を有する番組特性情報が前記記憶部に登録されていないと判定された回数を計数し、
当該回数が第３閾値以上の場合に、前記不正な記録予約情報が受信されたと判定する
ことを特徴とする記録方法。
【請求項１０】
前記第１判定工程では、
前記受信した記録予約情報が当該受信前に前記記憶部に登録されていたか否かを判定し、
前記受信した記録予約情報が当該受信前に前記記憶部に登録されていたと判定された回数を計数し、
当該回数が第１閾値以上の場合に、前記不正な記録予約情報が受信されたと判定する
ことを特徴とする請求項９に記載の記録方法。
【請求項１１】
前記第１判定工程では、予め定められた時間内に前記受信工程において受信された記録予約情報の数が第２閾値以上の場合に、前記不正な記録予約情報が受信されたと判定することを特徴とする請求項９又は１０に記載の記録方法。
【請求項１２】
前記第１判定工程では、予め定められた時間帯に前記受信工程において記録予約情報を受信した回数が第４閾値以上の場合に、前記不正な記録予約情報が受信されたと判定することを特徴とする請求項９乃至１１のいずれか１項に記載の記録方法。
【請求項１３】
前記第１判定工程では、前記受信した記録予約情報が指定する番組データに対応する番組の数が第５閾値以上の場合に、前記不正な記録予約情報が受信されたと判定することを特徴とする請求項９乃至１２のいずれか１項に記載の記録方法。
【請求項１４】
前記受信した記録予約情報は、画像サイズ及び画質を指定する情報を含み、
前記登録工程では、前記登録制御情報が前記第２状態に設定されている場合、前記受信した記録予約情報が指定する画像サイズ及び画質の少なくとも一方を低下させて当該受信した記録予約情報を前記記憶部に登録し、
前記記録制御工程では、前記記憶部に登録されている記録予約情報が指定する番組データを当該記録予約情報が指定する画像サイズ及び画質で記録するように前記記録工程を制御する
ことを特徴とする請求項９乃至１３のいずれか１項に記載の記録方法。
【請求項１５】
記録装置における記録方法であって、
放送信号に含まれる番組データを記憶部に記録する記録工程と、
記録すべき番組データを指定する記録予約情報を受信する受信工程と、
記録予約情報の前記記憶部への登録を制御する登録制御情報が第１状態に設定されている場合、前記受信した記録予約情報を前記記憶部に登録する登録工程と、
前記記憶部に登録されている記録予約情報が指定する番組データを記録するように前記記録工程を制御する記録制御工程と、
不正な記録予約情報が前記受信工程において受信されたか否かを判定する第１判定工程と、
前記不正な記録予約情報が受信されたと判定された場合に、前記登録制御情報を第２状態に設定する設定工程と、
正常な記録予約情報が前記受信工程において受信されたか否かを判定する第２判定工程と、
を備え、
前記記録工程では、記録した番組データの特性を示す番組特性情報を前記記憶部に登録し、
前記第２判定工程では、
前記記憶部に登録されている番組特性情報を、予め定められた第２共通点を有する番組特性情報のグループに分類し、各グループに分類された番組特性情報の数に関して各グループの順位を決定し、
前記登録制御情報が前記第２状態に設定されているときに前記受信工程において受信した記録予約情報が指定する番組データの番組特性情報が属するグループの順位が予め定められた順位以上であるか否かを判定し、
前記登録制御情報が前記第２状態に設定されているときに前記受信工程において受信した記録予約情報が指定する番組データの番組特性情報が属するグループの順位が予め定められた順位以上であると連続して判定された回数を計数し、
当該回数が第７閾値以上の場合に、前記正常な記録予約情報が受信されたと判定し、
前記設定工程では、前記正常な記録予約情報が受信されたと判定された場合に、前記登録制御情報を前記第１状態に設定する
ことを特徴とする記録方法。
【請求項１６】
前記第２判定工程では、
前記登録制御情報が前記第２状態に設定されているときに前記受信工程において受信した記録予約情報が当該受信前に前記記憶部に登録されていたか否かを判定し、
前記登録制御情報が前記第２状態に設定されているときに前記受信工程において受信した記録予約情報が当該受信前に前記記憶部に登録されていなかったと連続して判定された回数を計数し、
当該回数が第６閾値以上の場合に、前記正常な記録予約情報が受信されたと判定する
ことを特徴とする請求項１５に記載の記録方法。
【発明の詳細な説明】
【技術分野】
【０００１】
本発明は、番組データを記録する記録装置、及び記録方法に関する。
【背景技術】
【０００２】
現在、外出先からインターネット等の通信ネットワーク経由で番組の録画予約を受け付ける録画装置やテレビジョン受像機などが販売されている。ここで、録画予約（「記録予約」とも呼ぶ）とは、将来放送される番組データを記録するように記録装置（前述の録画装置やテレビジョン受像機など）に事前に指示することである。ユーザが録画予約を行う場合、例えば、電子メール送信端末（例えば、携帯電話）を用いて、録画情報（例えば、録画開始時刻及び録画終了時刻）を記載した電子メールを、録画装置に対応付けられたメールアドレスに宛てて送信する。録画装置はこのメールアドレスから定期的に電子メールを取得し、取得した電子メールに記載された内容に従って録画情報を記憶する。
【０００３】
録画装置が通信ネットワーク経由で録画予約を受け付ける場合、第三者が不正に録画情報を送信する可能性がある。例えば、録画装置の所有者が望まない番組の録画を第三者が大量に予約した場合、このような番組によって録画装置の記憶容量が逼迫し、所有者が本来録画したかった番組の録画が不可能になる場合がある。
【０００４】
そこで、特許文献１及び特許文献２では、ユーザに予めメールアドレスを登録させたり、更に電子メール内にパスワードを入力させたりすることにより、悪意の第三者からの不正な録画予約を回避する技術が提案されている。また、特許文献３では、ユーザの電子メール送信端末が認証用のコードを暗号化して電子メールに付加して送信し、録画装置が認証用のコードに基づく認証を行ってから録画予約を受け付ける技術が提案されている。
【特許文献１】特開２００５−１６７７３４号公報
【特許文献２】特開２００６−７４６１６号公報
【特許文献３】特許第３４９１６６５号明細書
【発明の開示】
【発明が解決しようとする課題】
【０００５】
しかしながら、上述した特許文献１及び特許文献２に開示されている技術では、例えば通信ネットワーク上での盗聴などによりパスワード等が第三者に不正に取得され、不正な録画予約が行われる可能性がある。また上述した特許文献３に開示されている技術では、電子メール送信端末が特別な暗号化機能を備える必要があり、任意の携帯電話やパーソナルコンピュータ（ＰＣ）を用いて録画予約を行うことが必ずしもできない。
【０００６】
本発明はこのような状況に鑑みてなされたものであり、記録装置における不正な記録予約による被害を低減する技術を提供することを目的とする。
【課題を解決するための手段】
【０００７】
上記課題を解決するために、第１の本発明は、放送信号に含まれる番組データを記憶部に記録する記録手段と、記録すべき番組データを指定する記録予約情報を受信する受信手段と、記録予約情報の前記記憶部への登録を制御する登録制御情報が第１状態に設定されている場合、前記受信した記録予約情報を前記記憶部に登録する登録手段と、前記記憶部に登録されている記録予約情報が指定する番組データを記録するように前記記録手段を制御する記録制御手段と、不正な記録予約情報が前記受信手段により受信されたか否かを判定する第１判定手段と、前記不正な記録予約情報が受信されたと判定された場合に、前記登録制御情報を第２状態に設定する設定手段と、を備え、前記記録手段は、記録した番組データの特性を示す番組特性情報を前記記憶部に登録し、前記第１判定手段は、前記受信した記録予約情報が指定する番組データの番組特性情報と予め定められた第１共通点を有する番組特性情報が前記記憶部に登録されているか否かを判定し、前記受信した記録予約情報が指定する番組データの番組特性情報と前記予め定められた第１共通点を有する番組特性情報が前記記憶部に登録されていないと判定された回数を計数し、当該回数が第３閾値以上の場合に、前記不正な記録予約情報が受信されたと判定することを特徴とする記録装置を提供する。
【０００８】
また、第２の本発明は、記録装置における記録方法であって、放送信号に含まれる番組データを記憶部に記録する記録工程と、記録すべき番組データを指定する記録予約情報を受信する受信工程と、記録予約情報の前記記憶部への登録を制御する登録制御情報が第１状態に設定されている場合、前記受信した記録予約情報を前記記憶部に登録する登録工程と、前記記憶部に登録されている記録予約情報が指定する番組データを記録するように前記記録工程を制御する記録制御工程と、不正な記録予約情報が前記受信工程において受信されたか否かを判定する第１判定工程と、前記不正な記録予約情報が受信されたと判定された場合に、前記登録制御情報を第２状態に設定する設定工程と、を備え、前記記録工程では、記録した番組データの特性を示す番組特性情報を前記記憶部に登録し、前記第１判定工程では、前記受信した記録予約情報が指定する番組データの番組特性情報と予め定められた第１共通点を有する番組特性情報が前記記憶部に登録されているか否かを判定し、前記受信した記録予約情報が指定する番組データの番組特性情報と前記予め定められた第１共通点を有する番組特性情報が前記記憶部に登録されていないと判定された回数を計数し、当該回数が第３閾値以上の場合に、前記不正な記録予約情報が受信されたと判定することを特徴とする記録方法を提供する。
【０００９】
なお、その他の本発明の特徴は、添付図面及び以下の発明を実施するための最良の形態における記載によって更に明らかになるものである。
【発明の効果】
【００１０】
以上の構成により、本発明によれば、記録装置における不正な記録予約による被害を低減することが可能となる。
【発明を実施するための最良の形態】
【００１１】
以下、添付図面を参照して、本発明の実施例を説明する。以下で説明される個別の実施例は、本発明の上位概念から下位概念までの種々の概念を理解するために役立つであろう。
【００１２】
なお、本発明の技術的範囲は、特許請求の範囲によって確定されるのであって、以下の個別の実施例によって限定されるわけではない。また、実施例の中で説明されている特徴の組み合わせすべてが、本発明に必須とは限らない。
【００１３】
以下では、本発明の記録装置をビデオレコーダに適用した実施例について説明するが、番組データを記録する機能を備える装置であれば、例えば、テレビジョン受像機やパーソナルコンピュータ（ＰＣ）などにも本発明の記録装置を適用することができる。
【実施例１】
【００１４】
実施例１では、ビデオレコーダが悪意の第三者による通信ネットワーク経由での不正な記録予約の指示を受けたことを検出した場合に、通信ネットワーク経由での記録予約機能をオフ（無効）にする。これにより、不正な記録予約がビデオレコーダに登録され続けることが防止される。オフにされた記録予約機能を再度有効にするには、ユーザは例えば、通信ネットワークを経由せずにビデオレコーダ本体の操作パネルを直接操作する。
【００１５】
図１は、実施例１に係るビデオレコーダ１００の構成を示すブロック図である。ビデオレコーダ１００は、チューナ１０１、デマルチプレクサ１０２、ビデオデコーダ１０３、表示制御部１０４、表示部１０５、オーディオデコーダ１０６、アンプ１０７、スピーカ１０８、及びユーザＩ／Ｆ１０９を備える。ビデオレコーダ１００はまた、登録部１１０、記憶部１１１、通信受信部１１２、通信識別部１１３、判定部１１４、及びＣＰＵ１１５を備える。図１において、実線はデータ腺を、破線は制御線を示す。以下、各ブロックについて説明する。
【００１６】
（チューナ１０１）
アンテナに受信されたテレビジョン放送信号は、チューナ１０１に入力される。チューナ１０１は、受信すべきチャンネルの情報（周波数、トランスポートストリームＩＤ）を後述のＣＰＵ１１５の制御により得て、周波数を切り替える。また、ＰＳＫ(Phase Shift Keying)復調やＯＦＤＭ(Orthogonal Frequency Division Multiplexing)復調を行い、所望のＴＳ（トランスポートストリーム）信号を出力する。
【００１７】
（デマルチプレクサ１０２）
デマルチプレクサ１０２は、チューナ１０１から入力されたＴＳ信号を、ＭＰＥＧ(Moving Picture Experts Group)−２のビデオストリーム、オーディオストリーム、及びＰＳＩ(Program Specific Information)セクションにデマルチプレクス（分離）する。そして、ビデオストリームはビデオデコーダ１０３へ、オーディオストリームはオーディオデコーダ１０６へ出力される。ＰＳＩセクションからは番組に関する情報を得るために必要なＳＩ(Service Information)が取得され、後述のＣＰＵ１１５へ出力される。
【００１８】
（ビデオデコーダ１０３）
ビデオデコーダ１０３は、デマルチプレクサ１０２より入力されたビデオストリームに対して、ＡＲＩＢ（電波産業会）規格書「ARIB STD-B21第6章6.1映像復号処理及び出力」に記載されているビデオ復号処理を行う。そして、復号されたビデオ信号を後述の表示制御部１０４へ出力する。
【００１９】
（表示制御部１０４、表示部１０５）
表示制御部１０４は、ビデオデコーダ１０３において復号されたビデオ信号を、表示部１０５が表示可能な信号に変換し、表示部１０５へ出力する。表示部１０５は、この信号に基づき、映像表示を行う。
【００２０】
（オーディオデコーダ１０６）
オーディオデコーダ１０６は、デマルチプレクサ１０２より入力されたオーディオストリームに対して、ＡＲＩＢ規格書「ARIB STD-B21第6章6.2音声復号処理及び出力」に記載されているオーディオ復号処理を行う。そして、復号されたオーディオ信号をアンプ１０７へ出力する。
【００２１】
（アンプ１０７、スピーカ１０８）
アンプ１０７は、オーディオデコーダ１０６において復号された音声信号を増幅し、スピーカ１０８へ出力する。スピーカ１０８は、この音声信号に基づき、音声を再生する。
【００２２】
（ユーザＩ／Ｆ１０９）
ユーザＩ／Ｆ１０９は、ビデオレコーダ１００に対するユーザの指示（例えば、記録予約指示や記録された番組データの再生指示など）を受信する。ユーザＩ／Ｆ１０９は例えば、リモコン受信部やキー入力受信部などを含み、受信した指示を示す信号を後述するＣＰＵ１１５へ出力する。
【００２３】
（通信受信部１１２）
通信受信部１１２は、インターネット等（図示せず）の通信ネットワークからデータを受信し、通信識別部１１３に出力する。通信受信部１１２は例えば、Ethernet（登録商標）端子を備え、Ethernet（登録商標）ケーブルを用いて家庭内のＬＡＮ(Local Area Network)に接続することができる。ＬＡＮはブロードバンドルータ（図示せず）を含み、通信受信部１１２は、ブロードバンドルータを介してインターネット等の外部ネットワークからデータを受信することができる。
【００２４】
通信受信部１１２はEthernet（登録商標）コントロールＩＣを含み、例えば電子メールを受信するために、ＰＯＰ３(Post Office Protocol Version3)がＴＣＰ／ＩＰ(Transmission Control Protocol/Internet Protocol)の上位層として実装される。或いは、ブラウザを介したデータを受信するために、ＨＴＴＰ(Hyper Text Transform Protocol)がＴＣＰ／ＩＰの上位層として実装される。
【００２５】
本実施例では、通信受信部１１２は、電子メールを介して、記録すべき番組データを指定する記録予約情報を受信する。記録予約情報は、記録すべき番組データを特定可能な情報（例えば、記録開始時刻及び記録終了時刻など）を含み、例えば、電子メールの本文に記述される。
【００２６】
（通信識別部１１３）
通信識別部１１３は、通信受信部１１２が受信したデータに記録予約情報が含まれるか否かを判定する。記録予約情報が含まれる場合、通信識別部１１３は、この記録予約情報を登録部１１０及び判定部１１４へ出力する。記録予約情報が含まれない場合については、本発明の特徴とは無関係なので、説明を省略する。
【００２７】
（判定部１１４）
判定部１１４は、不正な記録予約情報が通信ネットワーク経由で受信されたか否かを判定する（第１判定手段）。不正な記録予約情報が受信されたと判定した場合、判定部１１４はその旨を登録部１１０に通知する。
【００２８】
（登録部１１０、記憶部１１１）
登録部１１０は、記録予約情報の記憶部１１１への登録を制御する登録制御情報を保持する。登録制御情報は、通信ネットワーク経由での記録予約を許可する状態（第１状態）又は許可しない状態（第２状態）に設定されている。登録部１１０は、登録制御情報が許可状態（第１状態）に設定されている場合、通信受信部１１２が受信した記録予約情報を記憶部１１１に登録する。また、登録部１１０は、登録制御情報が不許可状態（第２状態）に設定されている場合、通信受信部１１２が受信した記録予約情報を登録することなく破棄する。
【００２９】
また、登録部１１０は、判定部１１４から不正な記録予約情報が受信された旨の通知を受けた場合、登録制御情報を不許可状態に設定する。
【００３０】
更に、登録部１１０は、後述するＣＰＵ１１５と通信し、ユーザＩ／Ｆ１０９を介して受信した記録予約情報を記憶部１１１に登録する。また、登録部１１０は、ユーザＩ／Ｆ１０９を介して受信した設定情報に従い、登録制御情報を許可状態又は不許可状態に設定する。即ち、判定部１１４からの通知に従って登録制御情報が不許可状態に設定された場合、ユーザは、ユーザＩ／Ｆ１０９を介して登録制御情報を許可に設定する指示を入力することにより、再び通信ネットワーク経由の記録予約を可能にすることができる。
【００３１】
（ＣＰＵ１１５）
ＣＰＵ１１５は、ユーザＩ／Ｆ１０９を介したユーザの指示を受けて、登録部１１０による記録予約情報の登録や、チューナ１０１による選局制御や、デマルチプレクサ１０２によるＳＩ情報の取得等を制御する。
【００３２】
また、ＣＰＵ１１５は、ユーザＩ／Ｆ１０９を介したユーザの記録指示に従い、デマルチプレクサ１０２が出力するビデオデータ及びオーディオデータ（番組データ）を記憶部１１１に記録するように、デマルチプレクサ１０２を制御する。
【００３３】
更に、ＣＰＵ１１５は、記憶部１１１に登録されている記録予約情報が指定する番組データを適切なタイミングで記憶部１１１に記録する、記録制御を行う。具体的には、記録予約情報が指定する番組データの放送開始時刻になると、その番組データを含むＴＳ信号を出力するようにチューナ１０１を制御し、ＴＳ信号から分離された番組データを記憶部１１１に記録するようにデマルチプレクサ１０２を制御する。
【００３４】
また、ＣＰＵ１１５は、ユーザＩ／Ｆ１０９を介したユーザの再生指示に従い、記憶部１１１に記録されている番組データをビデオデコーダ１０３及びオーディオデコーダ１０６へ出力することにより、番組の再生を行う。
【００３５】
次に、図２を参照して、登録部１１０、通信受信部１１２、通信識別部１１３、及び判定部１１４において実行される、記録予約情報の登録処理、及び不正な記録予約情報の受信判定処理の流れを説明する。
【００３６】
Ｓ２０１で、通信受信部１１２は、通信ネットワーク経由でデータを受信するのを待つ。
【００３７】
Ｓ２０２で、通信識別部１１３は、Ｓ２０１で受信されたデータに記録予約情報が含まれるか否かを判定する。含まれる場合は記録予約情報を含むデータを登録部１１０及び判定部１１４へ送信し、Ｓ２０３に進む。含まれない場合はＳ２０１に戻る。
【００３８】
Ｓ２０３で、登録部１１０は、登録制御情報が許可状態であるか否かを判定する。許可状態であればＳ２０４へ進み、そうでなければＳ２０１に戻る。
【００３９】
Ｓ２０４で、登録部１１０及び判定部１１４は、通信受信部１１２から入力されたデータから記録予約情報を抽出する。
【００４０】
Ｓ２０５で、判定部１１４は、不正な記録予約情報が受信されたか否かを判定する（詳細は図３乃至図７を参照して後述）。
【００４１】
Ｓ２０５において不正な記録予約情報が受信されたと判定された場合、Ｓ２０６からＳ２０７へ進み、Ｓ２０７において、判定部１１４は、不正な記録予約情報が受信された旨を登録部１１０に通知する。そして、登録部１１０は、登録制御情報を不許可状態に設定する。
【００４２】
Ｓ２０５において不正な記録予約情報が受信されていないと判定された場合、Ｓ２０６からＳ２０８へ進み、Ｓ２０８において、登録部１１０は、Ｓ２０４で抽出した記録予約情報を記憶部１１１に登録する。
【００４３】
なお、以上の説明において、不正な記録予約情報が受信されたと判定された場合、記録予約情報は登録されないものとした（Ｓ２０６からＳ２０７）が、記録予約情報を登録した上で登録制御情報を不許可状態に設定してもよい。
【００４４】
次に、図３乃至図７を参照して、Ｓ２０５における判定処理の例を５つ説明する。以下に説明する各例は、排他的なものではなく、任意の組み合わせが本実施例の判定処理として採用されてもよい。
【００４５】
（第１判定処理）
図３は、図２のＳ２０５における第１判定処理の流れを示すフローチャートである。
【００４６】
Ｓ３０１で、判定部１１４は、記憶部１１１に登録されている記録予約情報を参照し、Ｓ３０２で、通信識別部１１３から受信した記録予約情報が、今回の受信前に記憶部１１１に既に登録されていたか否かを判定する。既に登録されていた場合はＳ３０４に進み、そうでない場合はＳ３０３に進む。
【００４７】
Ｓ３０３で、判定部１１４は、正常な記録予約情報が受信されている状態（正常予約受信状態）であると判定する。
【００４８】
一方、Ｓ３０４では、判定部１１４は、受信した記録予約情報が既に登録されていたと判定された回数を計数するカウンタ（判定部１１４は、計数のためのカウンタを備える）がＮ（１以上の整数、３くらいが適当）であるか否かを判定する。カウンタがＮであればＳ３０５に進み、そうでなければＳ３０６に進む。
【００４９】
Ｓ３０５で、判定部１１４は、不正な記録予約情報が受信されている状態（不正予約受信状態）であると判定し、登録部１１０に通知する。即ち、判定部１１４は、受信した記録予約情報が既に登録されていたと判定された回数が（Ｎ＋１）回以上（第１閾値以上）の場合に、不正な記録予約情報が受信されている状態であると判定する。
【００５０】
一方、Ｓ３０６では、判定部１１４は、カウンタをインクリメントしてＳ３０３に進む。即ち、この時点では、正常予約受信状態であると判定する。
【００５１】
以上説明した第１判定処理は、そもそも正規のユーザが外部から記録予約をするのは、いつも記録している番組（放送時間、チャンネル等は判っている）の記録予約をし忘れたような場合であるということに基づいている。即ち、正規のユーザからの記録予約情報であれば、重複が何度も発生することは無いはずであるということである。
【００５２】
（第２判定処理）
図４は、図２のＳ２０５における第２判定処理の流れを示すフローチャートである。
【００５３】
第２判定処理では、判定部１１４は、予め定められた時間を計測するタイマーを備え、このタイマーを動作させ、この時間内に通信ネットワーク経由で受信された記録予約情報の数を計数する。
【００５４】
Ｓ４０１で、判定部１１４は、タイマーがオーバーフローしたか否か（即ち、予め定められた時間が経過したか否か）を判定する。オーバーフローした場合はＳ４０７に進み、そうでない場合はＳ４０２に進む。
【００５５】
Ｓ４０２で、判定部１１４は、受信された記録予約情報の数を計数するカウンタ（判定部１１４は、このカウンタを備える）を参照する。
【００５６】
Ｓ４０３で、判定部１１４は、カウンタがＮ（１以上の整数、５くらいが適当）であるか否かを判定する。カウンタがＮであればＳ４０４に進み、不正予約受信状態であると判定する。そうでなければＳ４０５に進み、カウンタをインクリメントし、Ｓ４０６で、正常予約受信状態であると判定する。
【００５７】
Ｓ４０７で、判定部１１４は、カウンタをクリアし、再びタイマーによる計測を開始する。
【００５８】
以上説明した第２判定処理では、予め定められた時間内に受信された記録予約情報の数が（Ｎ＋１）以上（第２閾値以上）の場合に、判定部１１４は、不正予約受信状態であると判定する。これは、そもそも正規のユーザが外部から記録予約をするのは、いつも記録している番組（放送時間、チャンネル等は判っている）の録画予約をし忘れたような場合であり、短時間に大量の記録予約を行うことは無いはずであることに基づいている。
【００５９】
（第３判定処理）
図５は、図２のＳ２０５における第３判定処理の流れを示すフローチャートである。
【００６０】
第３判定処理では、前提として、ＣＰＵ１１５は、番組データを記録する際に、記録対象の番組データの特性を示す番組特性情報を記憶部１１１に登録する。従って、記憶部１１１には、所謂記録履歴が登録されている。番組特性情報は、例えば、記録対象の番組データの放送開始時刻、放送終了時刻、チャンネル、番組名などを含む。
【００６１】
Ｓ５０１で、判定部１１４は、記憶部１１１に登録されている記録履歴を参照する。
【００６２】
Ｓ５０２で、判定部１１４は、受信した記録予約情報が指定する番組データが記録履歴に含まれるか否かを判定する。厳密には、同じ番組であっても放送時間等が異なれば番組特性情報も異なる。そこで、判定部１１４は、受信した記録予約情報が指定する番組データの番組特性情報と予め定められた第１共通点（例えば、共通の番組名）を有する番組特性情報が記憶部１１１に登録されているか否かを判定する。記録履歴に含まれる場合はＳ５０３に進み、含まれない場合はＳ５０４に進む。Ｓ５０３乃至Ｓ５０６における処理は、図３のＳ３０３乃至Ｓ３０６における処理と同様であるため、詳細な説明を省略する。
【００６３】
簡単に説明すると、第３判定処理では、記録履歴に含まれない番組データを指定する記録予約情報が受信された回数が（Ｎ＋１）以上（第３閾値以上）である場合に、判定部１１４は、不正予約受信状態であると判定する（Ｎは１以上の整数、３くらいが適当）。
【００６４】
以上説明した第３判定処理は、そもそも正規のユーザが外部から記録予約をするのは、いつも記録している番組（放送時間、チャンネル等は判っている）の記録予約をし忘れたような場合であるということに基づいている。即ち、記録履歴に存在しない番組の予約が何度も発生することは無いはずであるということである。
【００６５】
また、以上の説明では、記録履歴のみ使用したが、視聴履歴も使用してもよい。即ち、ＣＰＵ１１５は、再生した番組データの番組特性情報を視聴履歴として記憶部１１１に登録する。判定部１１４は、Ｓ５０１において、記録履歴に加えて、或いは記録履歴に代えて、視聴履歴を参照し、Ｓ５０２における判定に使用する。
【００６６】
（第４判定処理）
図６は、図２のＳ２０５における第４判定処理の流れを示すフローチャートである。
【００６７】
第４判定処理においては、判定部１１４は、記録予約の実行を禁止する時間帯を示す禁止時間帯情報を保持する。
【００６８】
Ｓ６０１で、判定部１１４は、記録予約情報を受信した時刻（現在時刻）を例えば電子メールのヘッダなどから取得し、予め定められた禁止時間帯（例えば、午前０時から午前５時等）とを比較する。
【００６９】
Ｓ６０２で、判定部１１４は、現在時刻が禁止時間帯に含まれるか否かを判定する。含まれる場合はＳ６０４に進み、含まれない場合はＳ６０３に進む。Ｓ６０３乃至Ｓ６０６における処理は、図３のＳ３０３乃至Ｓ３０６における処理と同様であるため、詳細な説明を省略する。
【００７０】
簡単に説明すると、第４判定処理では、禁止時間帯に記録予約情報が受信された回数が（Ｎ＋１）以上（第４閾値以上）である場合に、判定部１１４は、不正予約受信状態であると判定する（Ｎは１以上の整数、３くらいが適当）。
【００７１】
以上説明した第４判定処理は、正規ユーザならば禁止時間帯を知っているはずなので、禁止時間帯に外部から記録予約をする可能性は低いということに基づいている。
【００７２】
（第５判定処理）
図７は、図２のＳ２０５における第５判定処理の流れを示すフローチャートである。
【００７３】
Ｓ７０１で、判定部１１４は、受信した記録予約情報が指定する番組データに対応する番組の数Ｎ（１以上の整数）を検出する。
【００７４】
Ｓ７０２で、判定部１１４は、Ｎが予め定めた第５閾値以上（第５閾値は２以上の整数、３くらいが適当）であるか否かを判定する。第５閾値以上であればＳ７０３に進んで不正予約受信状態と判定し、そうでなければＳ７０４に進んで正常予約受信状態であると判定する。
【００７５】
以上説明した第５判定処理は、上述したように、そもそも正規のユーザが外部から記録予約をするのは、いつも録画している番組（放送時間、チャンネル等は判っている）の記録予約をし忘れたような場合であるということに基づいている。即ち、正規のユーザであれば、多数の番組にまたがるような時間帯を示す記録予約情報を送信する可能性は低いということである。
【００７６】
以上説明したように、実施例１によれば、ビデオレコーダ１００は、不正な記録予約情報が通信ネットワーク経由で受信された場合、以降に受信する記録予約情報を記憶部１１１に登録しない。
【００７７】
これにより、正規のユーザが意図しない番組データによって記憶部１１１の記憶容量が逼迫することが抑制されるので、記録装置における不正な記録予約による被害を低減することが可能となる。また、以上の説明から明らかなように、実施例１は、記録予約情報を送信する端末が暗号化機能などの特別な機能を備える必要もないという利点を有する。
【００７８】
（変形例１）
以上の説明においては、登録制御情報が不許可状態（第２状態）の場合、登録部１１０は、通信ネットワーク経由で受信した記録予約情報を登録しなかった。変形例１では、登録制御情報が不許可状態の場合でも、登録部１１０は、記録予約情報を記憶部１１１に登録する。但し、記録する番組データの画像サイズや画質は低下させられる。こうすれば、データ容量が減少するため、不正な記録予約による被害を低減することができる。また、登録制御情報が不許可状態の場合でも、正規のユーザは、低下した画像サイズや画質での番組データの記録予約を行うことができるので、番組データの記録予約が完全に受け付けられないという状況を回避することができる。
【００７９】
また、変形例１では、記録予約情報は、画像サイズ及び画質を指定する情報を含み、ＣＰＵ１１５は、記録予約情報が指定する画像サイズ及び画質で番組データを記録するようにデマルチプレクサ１０２等を制御する。
【００８０】
以下、図８を参照して、変形例１を具体的に説明する。図８において、図２の各ステップと同一の処理が行われるステップには同一の符号を付し、説明を省略する。
【００８１】
Ｓ８０３で、判定部１１４は、登録制御情報が無効状態に設定されているか否かを判定する。無効状態は、前述の許可状態（第１状態）及び不許可状態（第２状態）とは異なる状態であり、無効状態の場合、変形例１でも記録予約情報は登録されず、Ｓ２０１に戻る。
【００８２】
Ｓ８０５で、判定部１１４は、登録制御情報が不許可状態に設定されているか否かを判定する。不許可状態に設定されている場合、Ｓ８０６に進み、そうでなければＳ２０５に進む。
【００８３】
Ｓ８０６では、図２の場合と異なり、登録部１１０は、受信した記録予約情報が指定する画像サイズ及び画質の少なくとも一方を低下させて、受信した記録予約情報を記憶部１１１に登録する。
【００８４】
（変形例２）
本実施例では、不正な記録予約による被害を低減することについてのみ説明したが、不正な視聴予約による被害を低減するためにも本実施例の概念を適用することができる。変形例２では、通信受信部１１２は、将来放送される所定の番組データの再生を指示する視聴予約情報を含むデータを受信する。そして、以上の説明における「記録予約」を「視聴予約」と読み替えれば、不正な視聴予約による被害を低減することができることが明らかである。また、不正な記録予約による被害、及び不正な視聴予約による被害の両方を低減するようにビデオレコーダ１００を構成することもできる。
【実施例２】
【００８５】
実施例１では、不許可状態に設定された登録制御情報を許可状態に設定し直すためには、ユーザは、ユーザＩ／Ｆ１０９を介してビデオレコーダ１００を直接操作する必要があった。実施例２では、通信ネットワーク経由で登録制御情報を許可状態に設定し直す構成を説明する。これにより、ユーザは外出先でも登録制御情報を許可状態に設定し直すことが可能となり、利便性が向上する。
【００８６】
なお、実施例２において、ビデオレコーダ１００（図１参照）の構成は実施例１と同様であるため、説明を省略する。
【００８７】
図９は、実施例２に係るビデオレコーダ１００の登録部１１０、通信受信部１１２、通信識別部１１３、及び判定部１１４において実行される、正常な予約情報の受信判定処理の流れを示すフローチャートである。図９において、図２の各ステップと同一の処理が行われるステップには同一の符号を付し、説明を省略する。
【００８８】
実施例２では、登録制御情報が不許可状態に設定されている場合、Ｓ２０３からＳ９０９へ進む。
【００８９】
Ｓ９０９で、判定部１１４は、不正予約受信状態に起因して登録制御情報が不許可状態に設定されたのであるか否かを判定する。例えば、判定部１１４がフラグを備え、Ｓ２０７でフラグを有効にすれば、判定部１１４は、Ｓ９０９における判定を行うことができる。不正予約受信状態に起因して登録制御情報が不許可状態に設定されたのである場合、Ｓ９１０に進む。不正予約受信状態に起因して登録制御情報が不許可状態に設定されたのでなければ、ユーザの意思で登録制御情報が不許可状態に設定されていると考えられるので、Ｓ２０１に戻る。即ち、登録制御情報を許可状態に設定し直すための処理は実行されない。
【００９０】
Ｓ９１０で、登録部１１０及び判定部１１４は、通信受信部１１２から入力されたデータから記録予約情報を抽出する。
【００９１】
Ｓ９１１で、判定部１１４（第２判定手段）は、正常な記録予約情報が受信されたか否かを判定する（詳細は図１０及び図１１を参照して後述）。
【００９２】
Ｓ９１１において正常な記録予約情報が受信されたと判定された場合、Ｓ９１２からＳ９１３へ進み、Ｓ９１３において、判定部１１４は、正常な記録予約情報が受信された旨を登録部１１０に通知する。そして、登録部１１０は、登録制御情報を許可状態に設定する。続いて、Ｓ９１４で、登録部１１０は、Ｓ９１０で抽出した記録予約情報を記憶部１１１に登録する。
【００９３】
一方、Ｓ９１１において正常な記録予約情報が受信されていないと判定された場合、Ｓ９１２からＳ２０１へ戻る。
【００９４】
次に、図１０及び図１１を参照して、Ｓ９１１における判定処理の例を２つ説明する。以下に説明する各例は、排他的なものではなく、任意の組み合わせが本実施例の判定処理として採用されてもよい。
【００９５】
（第１判定処理）
図１０は、図９のＳ９１１における第１判定処理の流れを示すフローチャートである。
【００９６】
Ｓ１００１で、判定部１１４は、記憶部１１１に登録されている記録予約情報を参照し、Ｓ１００２で、通信識別部１１３から受信した記録予約情報が、今回の受信前に記憶部１１１に既に登録されていたか否かを判定する。既に登録されていた場合はＳ１００４に進み、そうでない場合はＳ１００３に進む。
【００９７】
Ｓ１００３で、判定部１１４は、受信した記録予約情報が既に登録されていないと判定された回数を計数するカウンタ（判定部１１４は、計数のためのカウンタを備える）がＮ（１以上の整数、２くらいが適当）であるか否かを判定する。カウンタがＮであればＳ１００５に進み、そうでなければＳ１００６に進む。
【００９８】
Ｓ１００５で、判定部１１４は、正常予約受信状態であると判定する。Ｓ１００６では、判定部１１４は、カウンタをインクリメントする。
【００９９】
一方、Ｓ１００４では、判定部１１４は、カウンタをクリアする。即ち、既に登録されている記録予約情報が受信された場合、カウンタがクリアされる。従って、受信した記録予約情報が既に登録されていないと「連続して」判定された回数が（Ｎ＋１）以上（第６閾値以上）の場合に、判定部１１４は、正常予約受信状態であると判定する。
【０１００】
Ｓ１００７で、判定部１１４は、不正予約受信状態であると判定する。
【０１０１】
以上説明した第１判定処理は、正規のユーザならば既に登録されている記録予約情報を知っているため、登録されていない記録予約情報を連続して送信することは容易であるということに基づいている。
【０１０２】
（第２判定処理）
図１１は、図９のＳ９１１における第２判定処理の流れを示すフローチャートである。
【０１０３】
第２判定処理では、前提として、ＣＰＵ１１５は、番組データを記録する際に、記録対象の番組データの特性を示す番組特性情報を記憶部１１１に登録する。従って、記憶部１１１には、所謂記録履歴が登録されている。番組特性情報は、例えば、記録対象の番組データの放送開始時刻、放送終了時刻、チャンネル、番組名などを含む。
【０１０４】
また、判定部１１４（或いはＣＰＵ１１５）は、記憶部１１１に登録されている番組特性情報を、予め定められた第２共通点（例えば、共通の番組名）を有する番組特性情報のグループに分類する。そして、各グループに分類された番組特性情報の数に関して各グループの順位を決定する。従って、第２判定処理においては、記録回数に関する順位付きの記録履歴が記憶部１１１に登録されている。
【０１０５】
Ｓ１１０１で、判定部１１４は、記憶部１１１に登録されている記録履歴を参照する。
【０１０６】
Ｓ１１０２で、判定部１１４は、受信した記録予約情報が指定する番組データの番組特性情報が属するグループの順位が予め定められた順位以上であるか否かを判定する。予め定められた順位以上であればＳ１１０３に進み、そうでなければＳ１１０４に進む。Ｓ１１０３乃至Ｓ１１０６における処理は、図１０のＳ１００３乃至Ｓ１００６における処理と同様であるため、詳細な説明を省略する。
【０１０７】
簡単に説明すると、第２判定処理では、記録履歴における順位が予め定められた順位以上の番組データを指定する記録予約情報が連続して受信された回数が（Ｎ＋１）以上（第７閾値以上）である場合に、判定部１１４は、不正予約受信状態であると判定する。（Ｎは１以上の整数、２くらいが適当）。
【０１０８】
以上説明した第２判定処理は、正規のユーザならば記録履歴の内容を知っているため、記録履歴において上位の記録予約情報を連続して送信することは容易であるということに基づいている。
【０１０９】
また、以上の説明では、記録履歴のみ使用したが、視聴履歴も使用してもよい。即ち、ＣＰＵ１１５は、再生した番組データの番組特性情報を視聴履歴として記憶部１１１に登録する。判定部１１４（或いはＣＰＵ１１５）は、記録履歴の場合と同様に、視聴履歴の順位付けを行う。判定部１１４は、Ｓ１１０１において、記録履歴に加えて、或いは記録履歴に代えて、視聴履歴を参照し、Ｓ１１０２における判定に使用する。
【０１１０】
以上説明したように、実施例２によれば、ビデオレコーダ１００は、登録制御情報が不許可状態に変更された後に、正常な記録予約情報が通信ネットワーク経由で受信された場合、登録制御情報を再び許可状態に設定する。
【０１１１】
これにより、ユーザは外出先でも登録制御情報を許可状態に設定し直すことが可能となり、利便性が向上する。
【０１１２】
なお、判定部１１４は、Ｓ２０５における判定処理のためのカウンタと、Ｓ９１１における判定処理のためのカウンタとを、共用することもできる（図９参照）。図１２を参照して、カウンタを共用する場合の実施例を説明する。
【０１１３】
図１２において、横軸は通信ネットワーク経由での記録予約情報の受信回数を示し、縦軸は重複した記録予約情報が受信された回数（重複予約回数）を示す。ここで重複予約回数は、通信ネットワーク経由で重複した記録予約情報が受信されると増え、重複しない記録予約情報が受信されると減る。従って、判定部１１４は、例えば重複予約回数が５回に達すると不正予約受信状態にあると判定する場合、図１２の例では、７回目の受信時に不正予約状態であることを検出する。その後、正規のユーザならば容易に行うことのできる、重複しない正常な記録予約が５回連続して行われたことを検出した場合には、判定部１１４は、正常予約受信状態に戻ったと判定することができる。
【０１１４】
［その他の実施例］
上述した各実施例の機能を実現するためには、各機能を具現化したソフトウェアのプログラムコードを記録した記録媒体をシステム或は装置に提供してもよい。そして、そのシステム或は装置のコンピュータ（又はＣＰＵやＭＰＵ）が記録媒体に格納されたプログラムコードを読み出し実行することによって、上述した各実施例の機能が実現される。この場合、記録媒体から読み出されたプログラムコード自体が上述した各実施例の機能を実現することになり、そのプログラムコードを記録した記録媒体は本発明を構成することになる。このようなプログラムコードを供給するための記録媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【０１１５】
また、上述した各実施例の機能を実現するための構成は、コンピュータが読み出したプログラムコードを実行することだけには限られない。そのプログラムコードの指示に基づき、コンピュータ上で稼動しているＯＳ（オペレーティングシステム）などが実際の処理の一部又は全部を行い、その処理によって上述した各実施例の機能が実現される場合も含まれている。
【０１１６】
更に、記録媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって上述した各実施例の機能が実現される場合も含むものである。
【図面の簡単な説明】
【０１１７】
【図１】実施例１に係るビデオレコーダの構成を示すブロック図である。
【図２】実施例１に係るビデオレコーダの登録部、通信受信部、通信識別部、及び判定部において実行される、記録予約情報の登録処理、及び不正な記録予約情報の受信判定処理の流れを示すフローチャートである。
【図３】図２のＳ２０５における第１判定処理の流れを示すフローチャートである。
【図４】図２のＳ２０５における第２判定処理の流れを示すフローチャートである。
【図５】図２のＳ２０５における第３判定処理の流れを示すフローチャートである。
【図６】図２のＳ２０５における第４判定処理の流れを示すフローチャートである。
【図７】図２のＳ２０５における第５判定処理の流れを示すフローチャートである。
【図８】実施例１の変形例１に従い、ビデオレコーダの登録部、通信受信部、通信識別部、及び判定部において実行される、記録予約情報の登録処理、及び不正な記録予約情報の受信判定処理の流れを示すフローチャートである。
【図９】実施例２に係るビデオレコーダの登録部、通信受信部、通信識別部、及び判定部において実行される、正常な予約情報の受信判定処理の流れを示すフローチャートである。
【図１０】図９のＳ９１１における第１判定処理の流れを示すフローチャートである。
【図１１】図９のＳ９１１における第２判定処理の流れを示すフローチャートである。
【図１２】不正予約判定のためのカウンタと正常予約判定のためのカウンタを共用する実施例を説明する図である。
【図１】
0005002419.tif 000002
【図２】
0005002419.tif 000003
【図３】
0005002419.tif 000004
【図４】
0005002419.tif 000005
【図５】
0005002419.tif 000006
【図６】
0005002419.tif 000007
【図７】
0005002419.tif 000008
【図８】
0005002419.tif 000009
【図９】
0005002419.tif 000010
【図１０】
0005002419.tif 000011
【図１１】
0005002419.tif 000012
【図１２】
0005002419.tif 000013